(57)【特許請求の範囲】
【請求項１】
把持可能なハンドルと、
前記ハンドルから延出し、前記ハンドルからの延出位置に引き出し自在に設けられた棒形状の支持部と、前記延出位置と前記支持部の引き出し端側とに回動自在に取り付けられ、前記支持部が引き出されると棒形状となり押し込まれると輪形状となる一対のフレキシブルパイプと、を有するリード部と、
前記一対のフレキシブルパイプの内部にループ状に設けられてＲＦＩＤチップから発信される搬送波を受信するアンテナ線と、
を備え、
前記一対のフレキシブルパイプは、前記支持部の引き出し端側の取り付け位置に、前記アンテナ線を前記フレキシブルパイプの内部から引き出し可能とし、かつ前記フレキシブルパイプの形状変更に伴う前記支持部の引き出し端側における回動の際に、前記フレキシブルパイプの内部からの前記アンテナ線の引き出し位置が変わらないような長孔が形成されて、前記フレキシブルパイプ間での前記アンテナ線の連絡を可能とするハンディアンテナ。
【発明の詳細な説明】
【技術分野】
【０００１】
本発明は、ＲＦＩＤチップから発信される搬送波を受信するハンディアンテナに関する。ＲＦＩＤは、Radio Frequency Identificationの略称である。
【背景技術】
【０００２】
ＲＦＩＤチップに対して情報の読み取りと書き込みとを行なうためのリーダライタでは、ＲＦＩＤチップにかざされるアンテナが必要である。このようなアンテナとして、従来から輪形状に形成されたアンテナが知られている。特許文献１には、輪形状をしたアンテナ（アンテナ３１）が設けられたハンディ型のリーダライタ（無線タグリーダ端末３）が開示されている。
【０００３】
これに対して、リーダライタとは別個に成り立つ単体のアンテナも普及している。例えば、非特許文献１には、単体で構成された輪形状のアンテナが記載されている。
【０００４】
【特許文献１】特開２００３−１７４２３７
【非特許文献１】タカヤ株式会社  タカヤＴＲシリーズカタログ                          ハンドヘルドアンテナＴＲ３−ＨＡ２０１
【発明の開示】
【発明が解決しようとする課題】
【０００５】
特許文献１、非特許文献１に記載されたようなアンテナは、輪形状であるが故に読み取り範囲が広く感度も良好であるという特性を有している。その反面、その使用態様はＲＦＩＤチップにかざすことのみを想定したものであり、隙間等のような狭い空間に入れることはできない。このため、例えば、重なり合って配置された複数個の品物に付されたＲＦＩＤチップに対する情報の読み取りや書き込みには不向きである。
【０００６】
本発明の目的は、隙間等のような狭い空間に入れることができるハンディアンテナを得ることである。
【課題を解決するための手段】
【０００７】
本発明は、把持可能なハンドルと、前記ハンドルから延出し、前記ハンドルからの延出位置に引き出し自在に設けられた棒形状の支持部と、前記延出位置と前記支持部の引き出し端側とに回動自在に取り付けられ、前記支持部が引き出されると棒形状となり押し込まれると輪形状となる一対のフレキシブルパイプと、を有するリード部と、前記一対のフレキシブルパイプの内部にループ状に設けられてＲＦＩＤチップから発信される搬送波を受信するアンテナ線と、を備え、前記一対のフレキシブルパイプは、前記支持部の引き出し端側の取り付け位置に、前記アンテナ線を前記フレキシブルパイプの内部から引き出し可能とし、かつ前記フレキシブルパイプの形状変更に伴う前記支持部の引き出し端側における回動の際に、前記フレキシブルパイプの内部からの前記アンテナ線の引き出し位置が変わらないような長孔が形成されて、前記フレキシブルパイプ間での前記アンテナ線の連絡を可能とする。
【発明の効果】
【０００８】
本発明によれば、リード部を隙間等のような狭い空間に入れることができ、したがって、重なり合って配置された複数個の品物に付されたＲＦＩＤチップとの間での情報通信を容易に行なうことができる。
【発明を実施するための最良の形態】
【０００９】
本発明の実施の一形態を図１ないし図１０に基づいて説明する。
【００１０】
図１は、リード部を棒形状の形態にしたハンディアンテナの斜視図である。図２は、リード部を輪形状の形態にしたハンディアンテナの斜視図である。本実施の形態のハンディアンテナ１０１は、把持可能なハンドル１０２にリード部１０３が取り付けられて構成されている。
【００１１】
ハンドル１０２は、隅部に丸みがつけられた矩形の平べったいハウジング１０４を主体に構成されている。ハウジング１０４は、二つのピース１０４ａ、１０４ｂ（図５及び図９参照）から構成され、厚みが薄くなった面を分割位置として同一形状に二分割可能に構成されている。つまり、それらの二つのピース１０４ａ、１０４ｂが接合することで、ハウジング１０４が形成される。二つのピース１０４ａ、１０４ｂは、ハウジング１０４の内部に空間部１０５（図３〜図６、図９及び図１０参照）を構成するような形状となっている。
【００１２】
リード部１０３は、ハンドル１０２の一部である先端部から延出している。ハンドル１０２の先端部は、ハンドル１０２を手で把持した場合、親指と人差指との側から延出する部分の先端である。リード部１０３は、棒状の支持部１０６とアンテナ保持体１０７とから構成されており、アンテナ保持体１０７が棒形状となる形態（図１参照）とアンテナ保持体１０７が輪形状となる形態（図２参照）との二態様に形態を変更可能である。このようなリード部１０３の構造については、図３〜図８に基づいて後述する。
【００１３】
ハンディアンテナ１０１は、更に、リード部１０３が延出する先端部とは逆側の後端部から延出するリード線１０８を有している。このリード線１０８は、リード部１０３に内蔵されるアンテナ線１０９（図１１及び図１２参照）を外部に設けられた図示しないリーダライタ制御部に接続させるための構造物である。
【００１４】
更に、ハンドル１０２には、その先端部の近傍の平べったくなった面にボタン１１０が設けられている。このボタン１１０は、図２に示すような輪形状の形態に維持されたリード部１０３を図１に示すような棒形状の形態に変更させるために用いられる。つまり、輪形状の形態に維持されたリード部１０３は、ボタン１１０の押下によって棒形状の形態に自動復帰する。そのための構造は、図９及び図１０に基づいて後述する。
【００１５】
図３は、リード部１０３を棒形状の形態にしたハンディアンテナ１０１の内部構造を示す縦断正面図である。図４は、リード部１０３を輪形状の形態にしたハンディアンテナ１０１の内部構造を示す縦断正面図である。ハンドル１０２のハウジング１０４には、リード部１０３の支持部１０６が引き出し自在に収納されている。支持部１０６は、ハウジング１０４の空間部１０５に押し込み配置することができ、空間部１０５から引き出し配置することができる。但し、支持部１０６の引き出し量は、アンテナ保持体１０７の長さによって決められ、ハウジング１０４から支持部１０６が引き抜け出ることがないように設定されている。
【００１６】
ハウジング１０４の空間部１０５では、リード部１０３の支持部１０６がスプリング１１１によって引き出し方向に付勢されている。つまり、ハウジング１０４の後端部には、コイルスプリングであるスプリング１１１を保持するための台座１１２が空間部１０５に形成され、支持部１０６の後端部近傍にはスプリング１１１を抜け止めするためのフランジ１１３が形成されている。スプリング１１１は、一端が台座１１２に取り付けられ、他端がフランジ１１３に抜け止めされ、圧縮状態に維持される。これにより、支持部１０６がスプリング１１１によって引き出し方向に付勢される。
【００１７】
図５は、ハンドル１０２とリード部１０３を構成するアンテナ保持体１０７との連結構造を示す斜視図である。図６は、ハンドル１０２とアンテナ保持体１０７との連結構造を示す縦断側面図である。ハウジング１０４には、その先端部に位置させて一対のボス１１４が空間部１０５の内部に立設されている。これらのボス１１４は、ハウジング１０４を構成する二つのピース１０４ａ、１０４ｂのそれぞれに形成され、互いに所定の隙間を開けて対面するように位置付けられている。説明の便宜上、一方のピース１０４ａに形成された一対のボス１１４を１１４ａの符号で示し、もう一方のピース１０４ｂに形成された一対のボス１１４を１１４ｂの符号で示す（図５参照）。これらの一対のボス１１４を形成するボス１１４ａ、１１４ｂには、二つのピース１０４ａ、１０４ｂが接合してハウジング１０４を構成した状態で同軸上に貫通する貫通孔１１５が形成されている。
【００１８】
リード部１０３のアンテナ保持体１０７は、両端にリング１１６が一体成型された一対のフレキシブルパイプ１１７の一端が連結体１１８で連結されて構成されている。リング１１６は、リング孔１１９を有している。そこで、ハウジング１０４を構成する二つのピース１０４ａ、１０４ｂが接合された状態でボス１１４ａとボス１１４ｂとの間に形成される隙間に、連結体１１８に連結されていない方のフレキシブルパイプ１１７の端部に設けられたリング１１６を位置付けた状態で、固定ピン１２０によって二つのピース１０４ａ、１０４ｂを連結することで、アンテナ保持体１０７がハウジング１０４に回動自在に取り付けられる。この際に用いる固定ピン１２０は、図５に示すように、雌螺子を有するピース１２０ａとその雌螺子に螺合する雄螺子を有するピース１２０ｂとから構成されている。そこで、固定ピン１２０を構成する二つのピース１２０ａ、１２０ｂをハウジング１０４の表裏側から貫通孔１１５に差し込み、雄螺子を雌螺子に螺合させて締め付けることで、ハウジング１０４を構成する二つのピース１０４ａ、１０４ｂが接合固定され、この状態でアンテナ保持体１０７がハウジング１０４に回動自在に取り付けられる。
【００１９】
ここで、図５に示すように、一対のボス１１４には、互いに対面する位置に切欠１２１が形成されている。これらの切欠１２１は、ボス１１４の根元部分においては形成されず、ボス１１４の高さ方向中央部分から先端部分に到る領域にのみ形成されている。したがって、ハウジング１０４を構成する二つのピース１０４ａ、１０４ｂが接合固定された状態では、一対のボス１１４を構成する合計四つのボス１１４ａ、１１４ｂにそれぞれ形成された四つの切欠１２１により、リード部１０３の支持部１０６を貫通させるための貫通空間が形成されることになる。したがって、その貫通空間内に支持部１０６が支持されることになる。このような貫通空間の寸法としては、一対のボス１１４の間の部分では支持部１０６の直径寸法と略同一の長さを持ち、ボス１１４に形成された貫通孔１１５の軸方向には支持部１０６の直径寸法よりも長く形成されている。
【００２０】
図７は、フレキシブルパイプ１１７と連結体１１８との連結構造を示す斜視図である。アンテナ保持体１０７を構成する一対のフレキシブルパイプ１１７を連結体１１８で連結する構造としては、ハウジング１０４にフレキシブルパイプ１１７を連結する構造と類似の構造が採用されている。つまり、連結体１１８は、二つのピースから構成されている。説明の便宜上、一方のピースを１１８ａの符号で示し、もう一方のピースを１１８ｂの符号で示す。連結体１１８を構成するそれらの二つのピース１１８ａ、１１８ｂは、所定の隙間を開けて連結されている。そのための構造として、一方のピース１１８ａにはスペーサ１２２が突出形成されている。そして、連結体１１８を構成する二つのピース１１８ａ、１１８ｂには、これらの二つのピース１１８ａ、１１８ｂが接合した状態で同軸上に貫通する貫通孔１２３が形成されている。
【００２１】
そこで、連結体１１８を構成する二つのピース１１８ａ、１１８ｂが接合された状態でスペーサ１２２によって形成される隙間に、一対のフレキシブルパイプ１１７の端部に設けられたリング１１６を位置付けた状態で、固定ピン１２０によって二つのピース１１８ａ、１１８ｂを連結することで、それらの一対のフレキシブルパイプ１１７が連結体１１８に回動自在に取り付けられる。この際に用いる固定ピン１２０は、フレキシブルパイプ１１７をハンドル１０２のボス１１４に取り付ける場合に用いる固定ピン１２０と同一のものである。つまり、固定ピン１２０は、図７に示すように、雌螺子を有するピース１２０ａとその雌螺子に螺合する雄螺子を有するピース１２０ｂとから構成されている。そこで、固定ピン１２０を構成する二つのピース１２０ａ、１２０ｂを連結体１１８の表裏側から貫通孔１２３に差し込み、雄螺子を雌螺子に螺合させて締め付けることで、連結体１１８を構成する二つのピース１１８ａ、１１８ｂが接合固定され、この状態で一対のフレキシブルパイプ１１７が連結体１１８に回動自在に取り付けられる。
【００２２】
更に、連結体１１８は、リード部１０３を構成する支持部１０６にも連結されている。つまり、支持部１０６は、連結体１１８を構成する一方のピース１１８ａに一体成型されている。
【００２３】
図８は、フレキシブルパイプ１１７の縦断側面図である。図８に示すように、フレキシブルパイプ１１７は、リング１１６の部分も含めて、全体が空洞になっている。後述するアンテナ線１０９を収納させるためである。このようなフレキシブルパイプ１１７は、自由に屈曲できるようにフレキシブル構造を備えている。
【００２４】
図９は、リード部１０３を構成する支持部１０６のラッチ構造を示す縦断側面図である。図１０は、支持部１０６のラッチ構造を示す縦断正面図である。ハンドル１０２を構成するハウジング１０４の一方のピース１０４ｂには、前述したボタン１１０を露出させるための露出孔１２４が形成されている。ボタン１１０は、その軸方向の中央付近に位置させてフランジ１２５を有し、当該一方のピース１０４ｂの裏側から露出孔１２４に挿入されている。そして、ハウジング１０４の内部に位置付けられるボタン１１０の端部は、ハウジング１０４に収納されたリード部１０３を構成する支持部１０６に当接している。このようなボタン１１０と支持部１０６との間の当接を実現させるための構造は、支持部１０６をその軸方向と直交する方向に付勢する付勢構造である。つまり、ハウジング１０４におけるボタン１１０が取り付けられている方のピース１０４ｂではない方のもう一方のピース１０４ａには、支持部１０６を介してボタン１１０と対向する位置に三つのスプリング１２６を介して付勢板１２７が取り付けられている。三つのスプリング１２６は、いずれも圧縮状態となったコイルスプリングである。したがって、付勢板１２７は、それらのスプリング１２６によって支持部１０６をボタン１１０に押し付ける方向に付勢されている。そこで、ボタン１１０を押下すると、支持部１０６が付勢板１２７の方向に変位し、スプリング１２６をより大きく圧縮させる。この状態でボタン１１０の押下を止めると、スプリング１２６の復元力によって付勢板１２７が支持部１０６をボタン１１０に押し付ける方向に付勢し、フランジ１２５が一方のピース１０４ｂの裏面に当接するまでボタン１１０を復帰させる。
【００２５】
ここで、一対のボス１１４を構成する合計四つのボス１１４ａ、１１４ｂにそれぞれ形成された四つの切欠１２１により、リード部１０３の支持部１０６を貫通させるための貫通空間が形成されることは前述したとおりである。そして、当該貫通空間は、前述したように、ボス１１４に形成された貫通孔１１５の軸方向には支持部１０６の直径寸法よりも長く形成されている。これは、支持部１０６がその軸方向に変位するための空間を確保するための寸法設定である。
【００２６】
このような構造を前提として、上記ハウジング１０４を構成する一方のピース１０４ｂには、その裏面の支持部１０６と対向する位置であってボタン１１０よりもハンドル１０２の先端部側に寄った位置に位置させて、ストッパ１２８が突出形成されている。このストッパ１２８は、当該一方のピース１０４ｂの裏面に対して直角に突出している。そして、支持部１０６の外周面には、ハンドル１０２に対する支持部１０６の押し込み及び引き出し動作に伴いストッパ１２８に干渉する位置に位置させてフック１２９が突出形成されている。このフック１２９は、ハンドル１０２に対する支持部１０６の押し込み方向が傾斜面１３０となり、ハンドル１０２に対する支持部１０６の引き出し方向側が直角面１３１となっている。傾斜面１３０は、ハンドル１０２に対する支持部１０６の押し込み動作に際して、ストッパ１２８との当接を徐々に深め、付勢板１２７を押すようにして支持部１０６をその軸方向と直交する方向に変位させながらフック１２９がストッパ１２８を乗り越えることを可能とする（図９（ａ）参照）。これに対して、直角面１３１は、ストッパ１２８に引っ掛かり、ハンドル１０２に押し込まれた支持部１０６がスプリング１１１に付勢されて引き出されようとするのを阻止し、支持部１０６を引き込み状態に維持する（図９（ｂ）参照）。これを解除するためには、ボタン１１０を押下する。これにより、支持部１０６が付勢板１２７の方向に変位し、ストッパ１２８に対するフック１２９の引っ掛かりが解除され、支持部１０６はスプリング１１１の復元力によって押し出される。
【００２７】
ここで、ハンドル１０２に押し込まれた支持部１０６のフック１２９がストッパ１２８を乗り越えてその直角面１３１がストッパ１２８に引っ掛かる位置は、リード部１０３が輪形状になる位置である（図２及び図４参照）。
【００２８】
図１１は、リード部１０３を棒形状の形態にしたハンディアンテナ１０１におけるアンテナ線１０９の這い回し位置を示す模式図である。図１２は、リード部１０３を輪形状の形態にしたハンディアンテナ１０１におけるアンテナ線１０９の這い回し位置を示す模式図である。図１１及び図１２に示すように、アンテナ線１０９は、リード部１０３を構成するアンテナ保持体１０７の内部にループ状をなして這い回され、リード線１０８に接続されている。これに対して、アンテナ保持体１０７は、前述したように、一対のフレキシブルパイプ１１７が連結体１１８を介して回動自在に連結され、更にハンドル１０２のハウジング１０４に回動自在に連結されている構成されている。このため、単純にパイプ状部材又はチューブ状部材の内部にアンテナ線１０９を這わせるような構造と異なり、連結体１１８の部分及びハウジング１０４の部分においてアンテナ線１０９の這い回しを確保し得る構造が必要となる。
【００２９】
そこで、図５に示すように、ハウジング１０４に取り付けられる側のフレキシブルパイプ１１７のリング１１６にはその側面に長孔１３２が形成され、図７に示すように、連結体１１８に取り付けられる側のフレキシブルパイプ１１７のリング１１６にはその側面に長孔１３３が形成されている。そして、連結体１１８には、長孔１３３から引き出されるアンテナ線１０９を挿通させるための挿通孔１３４が形成されている。長孔１３２、１３３は、それぞれのリング１１６からのアンテナ線１０９の引き出しを可能とし、しかも、リード部１０３の形態変更に伴うリング１１６の回動動作が生じてもそれらのリング１１６からのアンテナ線１０９の引き出し位置が変わらないような形状及び大きさに形成されている。また、挿通孔１３４は、一対のフレキシブルパイプ１１７に設けられた一対のリング１１６の間でのアンテナ線１０９の連絡を可能とするような形状及び大きさに形成されている。
【００３０】
アンテナ線１０９は、ＲＦＩＤチップ２０３（図１３、図１４参照）から発信される搬送波を受信する機能を果たす。したがって、アンテナ線１０９は、リーダライタ制御部に接続させることで、ＲＦＩＤチップ２０３との間での情報通信（情報の読み取り及び書き込み、情報の読み取り、情報の書き込み）の実現に寄与する。
【００３１】
このような構成において、ハンディアンテナ１０１は、リード部１０３を構成する支持部１０６が引き出された状態では、リード部１０３を棒形状に維持することができる（図１、図３及び図１１参照）。この際、リード部１０３は、その支持部１０６がスプリング１１１によって押し出され、スプリング１１１による付勢力を受けているので、棒形状という形態を維持する。
【００３２】
これに対して、棒形状であるリード部１０３の支持部１０６をハンドル１０２に押し込むと、アンテナ保持体１０７を構成するフレキシブルパイプ１１７が屈曲し、リード部１０３を輪形状に維持することができる（図２、図４及び図１２参照）。この際、支持部１０６の押し込み動作に伴い支持部１０６の外周面から突出形成されたフック１２９がストッパ１２８に干渉する。フック１２９は、その傾斜面１３０がストッパ１２８との当接を徐々に深め、付勢板１２７を押すようにして支持部１０６をその軸方向と直交する方向に変位させながらフック１２９がストッパ１２８を乗り越えることを可能とする（図９（ａ）参照）。これに対して、傾斜面１３０とは反対側に形成されたフック１２９の直角面１３１は、ストッパ１２８に引っ掛かり、ハンドル１０２に押し込まれた支持部１０６がスプリング１１１に付勢されて引き出されようとするのを阻止し、支持部１０６を引き込み状態に維持する（図９（ｂ）参照）。これにより、リード部１０３は、輪形状という形態を維持する。
【００３３】
そして、リード部１０３を棒形状に復帰させるには、ボタン１１０を押下する。これにより、支持部１０６が付勢板１２７の方向に変位し、ストッパ１２８に対するフック１２９の引っ掛かりが解除され、支持部１０６はスプリング１１１の復元力によって押し出され、リード部１０３が再び棒形状となる（図１、図３及び図１１参照）。この際、支持部１０６がスプリング１１１による付勢力を受けるので、リード部１０３は棒形状という形態を維持する。
【００３４】
図１３は、リード部１０３を棒形状の形態にしたハンディアンテナ１０１の使用状態の一例を示す斜視図である。図１３に示す例は、スーパーマーケット等での商品データ読み取り作業に適したハンディアンテナ１０１の使用態様の一例である。顧客は、購入しようとする商品２０１を買物籠２０２に収納し、例えばチェックアウトカウンタ（図示せず）に持ってくる。個々の商品２０１には商品情報を記憶するＲＦＩＤチップ２０３が付されている。そこで、チェックアウトカウンタでは、リード部１０３を棒形状にしたハンディアンテナ１０１を用意しておき、リード部１０３を買物籠２０２に差し込む。リード部１０３を買物籠２０２に差し込む動作を何度か繰り返すことで、買物籠２０２に収納された全ての商品２０１に付されたＲＦＩＤチップ２０３が確実に読み取られる。
【００３５】
図１３に示すように、複数個の商品２０１が積み重なるように買物籠２０２に収納されている状態では、各々に商品２０１に付されているＲＦＩＤチップ２０３を一度に読み取ることは困難である。これに対して、リード部１０３を棒形状にすれば、買物籠２０２に収納されて積み重なり合って配置された複数個の商品２０１の間の隙間にリード部１０３を差し込むことが可能となり、各々の商品２０１に付されたＲＦＩＤチップ２０３の読取精度を飛躍的に向上させることがきる。
【００３６】
図１４は、リード部１０３を輪形状の形態にしたハンディアンテナ１０１の使用状態の一例を示す斜視図である。図１４に示すように、例えばダンボール箱２１１のような品物が積み重ねられていたとしても、品物であるダンボール箱２１１の正面にＲＦＩＤチップ２０３が付されているような状況下では、リード部１０３を輪形状の形態にすることが好適である。リード部１０３を輪形状の形態にすることで、読み取り範囲が広くなり、読み取りミスを減少させることができる。
【図面の簡単な説明】
【００３７】
【図１】本発明の実施の一形態として、リード部を棒形状の形態にしたハンディアンテナの斜視図である。
【図２】リード部を輪形状の形態にしたハンディアンテナの斜視図である。
【図３】リード部を棒形状の形態にしたハンディアンテナの内部構造を示す縦断正面図である。
【図４】リード部を輪形状の形態にしたハンディアンテナの内部構造を示す縦断正面図である。
【図５】ハンドルとリード部を構成するアンテナ保持体との連結構造を示す斜視図である。
【図６】ハンドルとアンテナ保持体との連結構造を示す縦断側面図である。
【図７】フレキシブルパイプと連結体との連結構造を示す斜視図である。
【図８】フレキシブルパイプの縦断側面図である。
【図９】リード部を構成する支持部のラッチ構造を示す縦断側面図である。
【図１０】支持部のラッチ構造を示す縦断正面図である。
【図１１】リード部を棒形状の形態にしたハンディアンテナにおけるアンテナ線の這い回し位置を示す模式図である。
【図１２】リード部を輪形状の形態にしたハンディアンテナにおけるアンテナ線の這い回し位置を示す模式図である。
【図１３】リード部を棒形状の形態にしたハンディアンテナの使用状態の一例を示す斜視図である。
【図１４】リード部を輪形状の形態にしたハンディアンテナの使用状態の一例を示す斜視図である。
【符号の説明】
【００３８】
１０２  ハンドル、１０３  リード部、１０６  支持部、１０７  アンテナ保持体、１０９  アンテナ線
【図１】
0004642669.tif 000002
【図２】
0004642669.tif 000003
【図３】
0004642669.tif 000004
【図４】
0004642669.tif 000005
【図５】
0004642669.tif 000006
【図６】
0004642669.tif 000007
【図７】
0004642669.tif 000008
【図８】
0004642669.tif 000009
【図９】
0004642669.tif 000010
【図１０】
0004642669.tif 000011
【図１１】
0004642669.tif 000012
【図１２】
0004642669.tif 000013
【図１３】
0004642669.tif 000014
【図１４】
0004642669.tif 000015